(57)【要約】【課題】引張方式の室内ユニットにおいて、熱交換器によって熱交換された暖気を直接、ファンモーターにさらされないようにし、かつ、ファンモーターから効率的に放熱させる空気調和装置の室内ユニット及びそれを備えた空気調和装置を得ることを目的とする。【解決手段】このシロッコファン３を回転駆動させるためのファンモーター６が、熱交換器２の二次側の空気から遮断するように設置された仕切り板１０の反対側に配置され、吸い込み口１２は、仕切り板１０によってその一部が区切られており隙間１３として形成されている。【選択図】図１
2013011378.tif 000002
【特許請求の範囲】
【請求項１】
吸い込み口が形成された本体と、
該本体内部に設置され、内部を流通する冷媒と前記吸い込み口から吸い込まれた空気との熱交換を実施する熱交換器と、
前記本体内部において前記熱交換器の二次側領域に配置され、その回転によって前記吸い込み口から空気を前記本体内部に吸い込み、前記熱交換器を介してその二次側に向かって通過させるファンと、
前記本体内部に設置され、そのモーター軸の回転駆動によって前記ファンを回転させるファンモーターと、
前記本体内部において少なくとも前記吸い込み口が形成された面以外の内面に固設され、前記ファンモーターが設置された空間と前記二次側領域とを遮断する仕切り板と、
前記本体に形成され、前記ファンモーターが設置された空間と外部とを連通させる隙間と、
を備えたことを特徴とする空気調和装置の室内ユニット。
【請求項２】
前記隙間は、前記吸い込み口の端部のうち前記ファンモーターが設置された空間側の端部と、前記仕切り板との間隙によって形成された
ことを特徴とする請求項１記載の空気調和装置の室内ユニット。
【請求項３】
吸い込み口が形成された本体と、
該本体内部に設置され、内部を流通する冷媒と前記吸い込み口から吸い込まれた空気との熱交換を実施する熱交換器と、
前記本体内部において前記熱交換器の二次側領域に配置され、その回転によって前記吸い込み口から空気を前記本体内部に吸い込み、前記熱交換器をその二次側に向かって通過させるファンと、
前記本体内部に設置され、そのモーター軸の回転駆動によって前記ファンを回転させるファンモーターと、
前記本体内部において少なくとも前記吸い込み口が形成された面以外の内面に固設され、前記ファンモーターが設置された空間と前記二次側領域とを遮断する手段の一部である仕切り板と、
を備え、
前記熱交換器は、その前記仕切り板側の部分であって前記本体内部に向かって曲げられた熱交換器曲げ部を形成し、それに伴って、前記ファンモーターが設置された空間が、前記吸い込み口の一部である隙間を介して外部と連通し、
前記熱交換器曲げ部は、その端部が前記仕切り板の前記吸い込み口側の端部に近接又は当接し、前記仕切り板と共に前記ファンモーターが設置された空間と前記二次側領域とを遮断し、
前記ファンモーターは、前記ファンを回転させることによって、前記ファンモーター周辺の空気を、前記熱交換器曲げ部を介して前記熱交換器の二次側に向かって通過させる
ことを特徴とする空気調和装置の室内ユニット。
【請求項４】
前記熱交換器曲げ部は、その端部が前記仕切り板の前記吸い込み口側の端部に当接した
こと特徴とする請求項３記載の空気調和装置の室内ユニット。
【請求項５】
前記熱交換器曲げ部は、前記熱交換器のその他の部分の平面に対して直角となるように曲げられて形成された
ことを特徴とする請求項３又は請求項４記載の空気調和装置の室内ユニット。
【請求項６】
前記ファンモーターが設置された空間に設置され、自身の回転による送風によって前記ファンモーターで発生する熱を前記隙間から放熱させる放熱用ファンを備えた
ことを特徴とする請求項１〜請求項５のいずれか一項に記載の空気調和装置の室内ユニット。
【請求項７】
前記放熱用ファンは、送風方向を前記ファンモーターに向けるように配置された
ことを特徴とする請求項６記載の空気調和装置の室内ユニット。
【請求項８】
吸い込み口が形成された本体と、
該本体内部に設置され、内部を流通する冷媒と前記吸い込み口から吸い込まれた空気との熱交換を実施する熱交換器と、
前記本体内部において前記熱交換器の二次側領域に配置され、その回転によって前記吸い込み口から空気を前記本体内部に吸い込み、前記熱交換器をその二次側に向かって通過させるファンと、
前記本体の外面に設置された制御箱の内部に設置され、その内壁面に当接して固定され、そのモーター軸の回転駆動によって前記ファンを回転させるファンモーターと、
前記制御箱の前記内壁面に対応する外壁面に設置され、前記ファンモーターが発生する熱を前記制御箱の壁面を介して外部に放熱する放熱板と、
を備えた
ことを特徴とする空気調和装置の室内ユニット。
【請求項９】
前記ファンモーターの内部に設置され、前記ファンモーターの回転制御を実施し、前記ファンモーターの内部において前記制御箱の内壁面に当接された前記ファンモーターの外郭部分に近い位置に内蔵されたインバーター駆動回路を備えた
ことを特徴とする請求項８記載の空気調和装置の室内ユニット。
【請求項１０】
前記放熱板は、前記インバーター駆動回路の消費電力と温度との関係に基づいて、所定の許容温度以下に抑制可能となるようなサイズに形成された
ことを特徴とする請求項９記載の空気調和装置の室内ユニット。
【請求項１１】
前記ファンモーターが当接した前記制御箱の壁面部分が放熱シリコンによって形成された
ことを特徴とする請求項９又は請求項１０記載の空気調和装置の室内ユニット。
【請求項１２】
ガス冷媒を圧縮し、高温高圧冷媒を吐出する圧縮機と、
内部を流通する冷媒と、外気との熱交換を実施する室外熱交換器と、
冷媒を膨張及び減圧する膨張装置と、
請求項１〜請求項１１のいずれか一項に記載の空気調和装置の室内ユニットと、
を備え、
前記圧縮機、前記室外熱交換器、前記膨張装置、及び、前記室内ユニット内に設置された前記熱交換器が冷媒配管によって接続されて冷凍サイクルが形成された
ことを特徴とする空気調和装置。
【発明の詳細な説明】
【技術分野】
【０００１】
本発明は、ファンモーターの長寿命化を図る空気調和装置の室内ユニット及びそれを備えた空気調和装置に関する。
【背景技術】
【０００２】
天井埋込型空気調和装置の室内ユニットは大きく分けて、引張方式及び押込方式の２つに分けることができる。引張方式の場合、熱交換器の二次側（すなわち、熱交換器の風下側）にシロッコファン及びファンモーターが配置されるため、熱交換器を通過する風はほぼ均一でシロッコファンと熱交換器との間の距離を小さくすることができ、室内ユニット本体のサイズを小さくすることができる。
【０００３】
また、暖房運転時に、ファンモーターを熱交換器の二次側領域から外れた位置に配置し、暖房運転時に、熱交換器によって加熱された暖気がファンモーターに直接当たらないように構成したものが提案されている（例えば、特許文献１参照）。
【先行技術文献】
【特許文献】
【０００４】
【特許文献１】特開平８−１３５９９４号公報（第７頁、図１）
【発明の概要】
【発明が解決しようとする課題】
【０００５】
しかしながら、上記の引張方式の室内ユニットで、熱交換器の二次側にシロッコファン及びファンモーターが配置されたものについては、暖房運転時において、ファンモーターが熱交換器によって熱交換された暖気にさらされることになる。この条件においては、ファンモーターの温度が６０［℃］にもなることがあり、ファンモーターの放熱が問題となっていた。特に、インバーター駆動回路を搭載するファンモーターの場合は、その駆動回路の基板の使用温度の上限が１００［℃］程度であり、上記のように、ファンモーターの温度が６０［℃］に達すると、４０［ｄｅｇ］しか差がないことになる。そして、発熱するファンモーター内部にインバーター駆動回路を搭載するため、その駆動回路の基板の温度上昇によって基板の故障を招来するという問題点があった。
【０００６】
また、特許文献１に記載された空気調和機は、ファンモーターが熱交換器の二次側領域に配置されていないので、ファンモーターは、暖房運転時に直接、暖気が当たることはないが、その二次側領域とファンモーターとの設置位置との間の空気の流通が遮断されていない。したがって、二次側領域からの熱がファンモーターに伝達して、同様にファンモーターの温度上昇を招き、インバーター駆動回路の基板の故障を招来するという問題が依然としてあった。
【０００７】
本発明は、上記のような問題点に解決するためになされたものであって、引張方式の室内ユニットにおいて、熱交換器によって熱交換された暖気を直接、ファンモーターにさらされないようにし、かつ、ファンモーターから効率的に放熱させる空気調和装置の室内ユニット及びそれを備えた空気調和装置を得ることを目的とする。
【課題を解決するための手段】
【０００８】
本発明に係る空気調和装置の室内ユニットは、吸い込み口が形成された本体と、該本体内部に設置され、内部を流通する冷媒と前記吸い込み口から吸い込まれた空気との熱交換を実施する熱交換器と、前記本体内部において前記熱交換器の二次側領域に配置され、その回転によって前記吸い込み口から空気を前記本体内部に吸い込み、前記熱交換器を介してその二次側に向かって通過させるファンと、前記本体内部に設置され、そのモーター軸の回転駆動によって前記ファンを回転させるファンモーターと、前記本体内部において少なくとも前記吸い込み口が形成された面以外の内面に固設され、前記ファンモーターが設置された空間と前記二次側領域とを遮断する仕切り板と、前記本体に形成され、前記ファンモーターが設置された空間と外部とを連通させる隙間と、を備えたものである。
【発明の効果】
【０００９】
本発明では、本体内において、仕切り板によって、ファンが配置された熱交換器の二次側領域が、ファンモーターが配置された空間から遮断されているので、暖房運転時における熱交換器によって熱交換された暖気が、ファンモーターにさらされることがなく、この暖気によるファンモーターの温度上昇を防止することができる。また、本体に隙間が形成することによって、ファンモーターが設置された空間の空気が、この隙間から外部へ排出されるので、ファンモーターの正常駆動のための放熱に必要な最低風量を確保することができ、ファンモーターの温度上昇によるファンモーターに内蔵されたインバーター駆動回路の基板の故障を抑制することができる。
【図面の簡単な説明】
【００１０】
【図１】本発明の実施の形態１に係る空気調和装置の室内ユニットの概略構成図である。
【図２】本発明の実施の形態１に係る空気調和装置における隙間１３の寸法とファンモーター６周辺の風量との関係を示す図である。
【図３】本発明の実施の形態２に係る空気調和装置の室内ユニットの概略構成図である。
【図４】本発明の実施の形態３に係る空気調和装置の室内ユニットの概略構成図である。
【図５】本発明の実施の形態３に係る空気調和装置におけるインバーター駆動回路９の消費電力と温度との関係を示す図である。
【図６】本発明の実施の形態４に係る空気調和装置の冷媒回路図である。
【発明を実施するための形態】
【００１１】
実施の形態１．
（室内ユニットの構成）
図１は、本発明の実施の形態１に係る空気調和装置の室内ユニットの概略構成図である。
図１で示されるように、この実施形態に係る空気調和装置の室内ユニットは、その本体１の内部には、熱交換器２が備えられて、その熱交換器２の二次側に、ファンケーシング４によって囲われたシロッコファン３が配置された引張方式の室内ユニットである。このシロッコファン３を回転駆動させるためのファンモーター６が、熱交換器２の二次側の空気から遮断するように設置された仕切り板１０の反対側に配置されている。このファンモーター６の回転軸であるモーター軸６ａは、仕切り板１０に設置された継手７を介してシャフト５に連結している。このシャフト５は、シロッコファン３をその回転軸方向に挿通し、そして、継手７側と反対側の他端はベアリング８によって支持されている。したがって、ファンモーター６のモーター軸６ａの回転駆動によって、その回転力が、継手７及びシャフト５を介して、シロッコファン３に伝達し、シロッコファン３が回転する。また、ファンモーター６は、インバーター駆動回路９を内蔵しており、このインバーター駆動回路９は、本体１側面に設置された制御箱１１内の制御装置（図示せず）から駆動信号を受信し、この駆動信号に基づいて、ファンモーター６を回転駆動させる。また、本体１において、熱交換器２の一次側に形成された開口部であり、シロッコファン３の回転によって熱交換器２へ向かって空気を引っ張り込むための吸い込み口１２が形成されている。一方、シロッコファン３の回転によって吸い込み口１２から本体１内部に引っ張り込まれた空気（吸い込み風１５）は、熱交換器２内部を流れる冷媒と熱交換して熱交換器２の二次側へ向かい、本体１に形成された吹き出し口１７から吹き出し風１６として空調対象空間に吹き出される。さらに、ファンモーター６の近傍には、このファンモーター６へ向けて空気を送るように配置された放熱用ファン１４が配置されている。
【００１２】
本体１は、室内ユニットの外形を形成するものである。
【００１３】
熱交換器２は、本体１内部に配置され、後述する吸い込み口１２近傍に設置されるものであり、吸い込み口１２からシロッコファン３の回転によって引っ張り込まれる吸い込み風１５と、内部を流れる冷媒との熱交換を実施するものである。
【００１４】
シロッコファン３は、熱交換器２の二次側に配置され、後述するファンモーター６のモーター軸６ａの回転駆動によるシャフト５の回転と共に回転し、吸い込み口１２から吸い込み風１５を熱交換器２へ向けて引っ張り込む。
なお、本実施の形態においては、室内ユニットに搭載されるファンとしてシロッコファン３が備えられる構成としているが、これに限定されるものではなく、例えば、ターボファン又はラインフローファン等のその他のファンを採用するものとしてもよい。
【００１５】
ファンケーシング４は、シロッコファン３をカバーリングするものであり、シロッコファン３の回転によって本体１内部に引っ張り込まれ、熱交換器２によって熱交換された吸い込み風１５を、その内部に引き込む開口部（図示せず）を有する。また、ファンケーシング４は、内部に引き込んだ空気を、後述する吹き出し口１７へ向けて送り出すための開口部（図示せず）を有する。
【００１６】
シャフト５は、ファンモーター６から延設され、仕切り板１０に設置された継手７と、ベアリング８とによって支持される棒であり、ファンモーター６が回転駆動することによって回転し、その回転力をシロッコファン３に伝達するものである。
【００１７】
ファンモーター６は、回転軸となるモーター軸６ａを有し、インバーター駆動回路９によって回転駆動され、その回転力を継手７及びシャフト５を介してシロッコファン３に伝達させ、シロッコファン３を回転駆動させる。
【００１８】
継手７は、仕切り板１０に設置され、ファンモーター６のモーター軸６ａとシャフト５とを連結させるものであり、シャフト５を、本体１内部壁面に設置されたベアリング８と共に支持するものである。
【００１９】
ベアリング８は、本体１内部壁面に設置され、シャフト５を、仕切り板１０に設置された継手７と共に支持するものである。
【００２０】
インバーター駆動回路９は、ファンモーター６に内蔵され、ファンモーター６を回転駆動させるものである。具体的には、インバーター駆動回路９は、後述する制御箱１１内の制御装置と電気的に接続されており、この制御装置から駆動信号を受信し、この駆動信号に基づいて、高周波電流を生成してファンモーター６を回転駆動させる。
【００２１】
仕切り板１０は、本体１内部において少なくとも吸い込み口１２が形成された面以外の内面に固設され、シロッコファン３が配置された熱交換器２の二次側の空間から、ファンモーター６が配置された空間を遮断して、両空間の空気の流通を阻止するものである。
【００２２】
制御箱１１は、本体１の側面に設置されており、その内部には制御装置（図示せず）が設置されている。この制御装置は、前述のように、インバーター駆動回路９に電気的に接続されており、インバーター駆動回路９にファンモーター６を回転駆動させるための駆動信号を送信する。
なお、制御箱１１は、図１における正面視において、本体１の左側側面に設置されているが、特に設置位置は限定されるものではない。
【００２３】
吸い込み口１２は、本体１において、熱交換器２の一次側に形成され開口部であり、シロッコファン３の回転駆動によって、この吸い込み口１２から熱交換器２へ向かって吸い込み風１５が引っ張り込まれる。また、吸い込み口１２は、仕切り板１０によってその一部が区切られており隙間１３として形成されている。
【００２４】
放熱用ファン１４は、ファンモーター６の近傍に配置されるものであり、その送風方向はファンモーター６へ向かうように設置されるのが望ましい。この放熱用ファン１４によって発生した風は、前述の隙間１３から外部に、隙間吹き出し風１５ａとして吹き出される。
【００２５】
吹き出し口１７は、本体１において、熱交換器２の二次側に形成された開口部であり、シロッコファン３の回転によって、吸い込み口１２から本体１内部に引っ張り込まれ、熱交換器２によって熱交換された空気が、吹き出し風１６として空調対象空間に吹き出されるものである。
【００２６】
（ファンモーター６の放熱動作）
図２は、本発明の実施の形態１に係る空気調和装置における隙間１３の寸法とファンモーター６周辺の風量との関係を示す図である。
ファンモーター６の近傍に配置された放熱用ファン１４は、その送風方向がファンモーター６へ向かうように設置されているので、その風によってファンモーター６は放熱され、熱を奪った風は隙間１３から外部に隙間吹き出し風１５ａとして吹き出される。この隙間吹き出し風１５ａのうち少なくとも一部は、熱交換器２における一次側の空気として吸い込み風１５と共に、熱交換器２へ向かって吸い込まれる。
【００２７】
また、図２で示されるように、隙間１３の寸法が大きくなる程、ファンモーター６の周辺の風量は大きくなり、収束に向かい、このファンモーター６の周辺の風によって、ファンモーター６は放熱される。また、図２で示される実線が放熱用ファン１４を用いない場合のグラフであり、点線が放熱用ファン１４を用いた場合のグラフを示している。これらのグラフで示されるように、同一の隙間１３の寸法とした場合、放熱用ファン１４を用いた場合の方が、用いない場合よりも、ファンモーター６の周辺の風量が大きくなることがある。したがって、ファンモーター６の正常駆動のための放熱に必要な最低風量を確保するために、放熱用ファン１４を用いた場合の方が、隙間１３の寸法を小さくすることができる。これによって、吸い込み口１２の寸法のうち、隙間１３の寸法で占有されてしまう部分が小さくなり、より多くの量の吸い込み風１５を吸い込み口１２から吸い込むことが可能となるので熱交換性能が向上する。また、放熱用ファン１４を用いない場合及び放熱用ファン１４を用いる場合において、隙間１３の寸法を同一とした場合、放熱用ファン１４を用いる場合の方が、ファンモーター６の放熱効果が高い。
なお、ファンモーター６のエアギャップ又は巻数等の仕様によって、ファンモーター６の放熱に必要な最低風量がことなるため、用いるファンモーター６ごとに実験的に隙間１３の寸法を決定する必要がある。このようにして、実験的に求められた隙間１３を設けることによって、ファンモーター６の効率的な放熱が可能となる。
【００２８】
なお、図１のように、ファンモーター６が設置された空間に放熱用ファン１４を設置する構成を示したが、これに限定されるものではない。すなわち、放熱用ファン１４を設けなくても、隙間１３を形成してその寸法を調整することによって、ファンモーター６の放熱効果は得られるので、放熱用ファン１４を備えない構成としてもよい。
【００２９】
また、図１においては、隙間１３は、吸い込み口１２の一部として形成されている構成を示したが、これに限定されるものではない。すなわち、吸い込み口１２とは別の開口部として、ファンモーター６を放熱させるための隙間吹き出し風１５ａの発生を確保するための隙間を形成するものとしてもよい。ただし、この場合においても、仕切り板１０によって、ファンモーター６が設置された空間と、シロッコファン３が設置された熱交換器２の二次側の空間とを遮断する構成は必要である。
【００３０】
（実施の形態１の効果）
以上の構成のように、本体１内において、仕切り板１０によって、シロッコファン３が配置された熱交換器２の二次側の空間が、ファンモーター６が配置された空間から遮断されているので、暖房運転時における熱交換器２によって熱交換された暖気が、ファンモーター６にさらされることがない。これによって、この暖気によるファンモーター６の温度上昇を防止することができる。
【００３１】
また、吸い込み口１２の一部を仕切り板１０によって仕切られた隙間１３を形成することによって、ファンモーター６が設置された空間の空気を、この隙間１３から外部へ隙間吹き出し風１５ａとして排出される。これによって、ファンモーター６の正常駆動のための放熱に必要な最低風量を確保することができ、ファンモーター６の温度上昇によるファンモーター６に内蔵されたインバーター駆動回路９の基板の故障を抑制することができる。さらに、ファンモーター６が設置された空間に放熱用ファン１４を設置し、ファンモーター６に送風することによって、さらに、ファンモーター６の放熱効果が向上し、ファンモーター６の温度上昇を抑制することができる。また、放熱用ファン１４を設置することによって、吸い込み口１２の寸法のうち、隙間１３の寸法で占有されてしまう部分が小さくなり、より多くの量の吸い込み風１５を吸い込み口１２から吸い込むことが可能となるので熱交換性能が向上する。
【００３２】
実施の形態２．
次に、本実施の形態に係る空気調和装置の室内ユニットについて、実施の形態１に係る空気調和装置の室内ユニットと相違する点を中心に説明する。
【００３３】
（室内ユニットの構成）
図３は、本発明の実施の形態２に係る空気調和装置の室内ユニットの概略構成図である。
図３で示されるように、本実施の形態に係る室内ユニットの熱交換器２ａは、実施の形態１と同様に、本体１内部に配置され、吸い込み口１２近傍に設置されているが、熱交換器２ａのうち仕切り板１０側の部分が本体１内側に向かって、Ｒ形状に曲げられ、熱交換器曲げ部２ａａが形成されている。この熱交換器曲げ部２ａａの一次側の面と、仕切り板１０の面とは略面一となっており、かつ、熱交換器曲げ部２ａａの一次側の面の端部と、仕切り板１０の吸い込み口１２側の端部とは当接している。以上のような、仕切り板１０、及び、熱交換器曲げ部２ａａを含めた熱交換器２ａによって、シロッコファン３が配置された熱交換器２ａの二次側の空間から、ファンモーター６が配置された空間を遮断されている。そして、仕切り板１０（又は、略面一である熱交換器曲げ部２ａａの一次側の面）の図３の正面視上方に向かう延長線と、ファンモーター６が設置された空間側の吸い込み口１２の端部とによって隙間１３ａが形成されている。また、本実施の形態においては、実施の形態１に係る放熱用ファン１４は設置されていない。その他の構成は、実施の形態１に係る室内ユニットと同様である。
【００３４】
以上のような構成によって、熱交換器２ａを曲げて熱交換器曲げ部２ａａを形成することによって、曲げる前の状態における図３の正面視左右方向の長さよりも短くすることができ、その分だけ、室内ユニットの左右方向の寸法を小さくすることができる。
【００３５】
なお、図３で示されるように、熱交換器２ａに一端をＲ形状に曲げて、熱交換器曲げ部２ａａを形成するものとしているが、この形状に限定されるものではなく、例えば、直角に曲げたＬ字形状としてもよい。
【００３６】
（ファンモーター６の放熱動作）
ファンモーター６の回転駆動によって、熱交換器２ａの二次側に配置されたシロッコファン３が回転し、この回転によって、吸い込み口１２から吸い込み風１５が熱交換器２ａに向かって吸い込まれる。この際、熱交換器２ａの熱交換器曲げ部２ａａにおいても、一次側から二次側に向かう送風が発生し、この送風は吸い込み風１５ｂとして、ファンモーター６周辺の空気が熱交換器曲げ部２ａａを通過して二次側に移動する。この吸い込み風１５ｂの発生によって、ファンモーター６から放熱させることができ、ファンモーター６の温度上昇によるファンモーター６に内蔵されたインバーター駆動回路９の基板の故障を抑制することができる。また、熱交換器曲げ部２ａａにおけるファンモーター６周辺の空気の流れである吸い込み風１５ｂの発生を阻害しない程度に、隙間１３ａの寸法を小さくすることができる。
【００３７】
なお、図３で示されるように、実施の形態１に係る室内ユニットとは異なり放熱用ファン１４を設けない構成としたが、これに限定されるものではなく、放熱用ファン１４を設ける構成としてもよい。これによって、放熱用ファン１４の回転に伴う送風により、吸い込み風１５ｂの発生が促進され、ファンモーター６の放熱効果をより高めることができる。
【００３８】
（実施の形態２の効果）
以上の構成のように、熱交換器２ａを曲げて熱交換器曲げ部２ａａを形成しているので、曲げる前の状態における図３の正面視左右方向の長さよりも短くすることができ、その分だけ、室内ユニットの左右方向の寸法を小さくすることができる。
【００３９】
また、この熱交換器曲げ部２ａａにおいて、次側から二次側に向かう吸い込み風１５ｂが発生し、この吸い込み風１５ｂによってファンモーター６周辺の空気が熱交換器曲げ部２ａａを通過して二次側に移動するので、ファンモーター６から放熱させることができ、ファンモーター６の温度上昇によるファンモーター６に内蔵されたインバーター駆動回路９の基板の故障を抑制することができる。
【００４０】
なお、図３で示されるように、熱交換器曲げ部２ａａは、熱交換器２ａにおけるその他の部分の平面に対して直角となるように曲げられた形状としているが、これに限定されるものではなく、必ずしも直角となる角度まで曲げる必要はない。その場合でも、吸い込み風１５ｂによるファンモーター６の放熱効果を得ることができる。
【００４１】
また、図３で示されるように、熱交換器曲げ部２ａａの一次側の面と、仕切り板１０の面とは略面一となっており、かつ、熱交換器曲げ部２ａａの一次側の面の端部と、仕切り板１０の端部とは当接している構成としたが、これに限定されるものではなく、必ずしも面一となっていなくてもよく、あるいは、必ずしも当接していなくてもよい。すなわち、仕切り板１０と熱交換器曲げ部２ａａとの間に間隙があり、厳密にファンモーター６が設置された空間と、シロッコファン３が設置された空間とが完全に遮断されている構成でなくてもよい。というのは、通常は、シロッコファン３の回転によって、熱交換器２ａの一次側から二次側へ向かって風が起こるので、上記の隙間から、二次側から一次側へ逆流する風は起こりにくいからである。ただし、ファンモーター６を放熱させるための吸い込み風１５ｂの発生を阻害しない程度の所定の間隙寸法以下に抑制することは必要である。
【００４２】
実施の形態３．
次に、本実施の形態に係る空気調和装置の室内ユニットについて、実施の形態１に係る空気調和装置の室内ユニットと相違する点を中心に説明する。
【００４３】
（室内ユニットの構成）
図４は、本発明の実施の形態３に係る空気調和装置の室内ユニットの概略構成図である。
図４で示されるように、本実施の形態に係る室内ユニットは、ファンモーター６が設置された空間と、シロッコファン３が設置される空間とを遮断する仕切り板１０（実施の形態１の図１参照）は設置されていない。仕切り板１０が設置されていないので、吸い込み口１２において、図１で示されるような隙間１３に相当する部分も形成されていない。ファンモーター６は、本体１の外面に設置された制御箱１１ａ内部に、制御装置（図示せず）と共に設置されている。継手７は、この制御箱１１が設置された本体１の外部側面に設置されており、ファンモーター６のモーター軸６ａと、本体１内部のシャフト５とを連結している。また、制御箱１１ａ内に設置されたファンモーター６は、内蔵しているインバーター駆動回路９の位置に近いファンモーター６の外郭部分が、制御箱１１ａの内壁面に当接して固定されている。図４においては、インバーター駆動回路９は、ファンモーター６のモーター軸６ａと反対側の外郭寄りに設置されており、この外郭部分が、制御箱１１ａの内壁面に当接して固定されている。そして、ファンモーター６が当接している制御箱１１ａの内壁面に対応する外壁面には、放熱板１８が設置され、この放熱板１８は、内壁面側から外壁面に伝達してくる熱を外部に放熱する。
【００４４】
以上の構成にように、ファンモーター６は、本体１の外面に設置された制御箱１１ａ内部に設置されているので、シロッコファン３が設置された熱交換器２の二次側領域から遮断されているので、熱交換器２によって生成した暖気による影響を受けることがない。
【００４５】
（ファンモーター６の放熱動作）
図５は、本発明の実施の形態３に係る空気調和装置におけるインバーター駆動回路９の消費電力と温度との関係を示す図である。
前述のように、ファンモーター６は、制御箱１１ａ内に設置されているので、熱交換器２の二次側領域から遮断されているので、熱交換器２によって生成した暖気による影響を受けることがない。また、ファンモーター６が当接して固定された制御箱１１ａの内壁面に対応する外壁面に放熱板１８が設置されているので、ファンモーター６で発生した熱は、制御箱１１ａの壁面を介して、放熱板１８から外部に放熱されることになる。また、この制御箱１１ａの壁面に対応する部分を放熱シリコン（図示せず）で形成してもよい。これによって、ファンモーター６で発生した熱は、熱伝導性の高い放熱シリコンを介して、放熱板１８から放熱され、ファンモーター６の放熱性をより向上させることができる。以上のような態様によってファンモーター６から放熱させることができるので、ファンモーター６の温度上昇によるインバーター駆動回路９の基板の故障を抑制することができる。また、インバーター駆動回路９が、制御箱１１ａの内壁面に当接されたファンモーター６の外郭部分に近い位置に内蔵されているので、ファンモーター６が発生する熱が、インバーター駆動回路９の周囲から効率よく、このファンモーター６の外郭部分及び制御箱１１ａの内壁面を介して放熱板１８から外部に放熱される。
【００４６】
また、図５で示されるように、インバーター駆動回路９の消費電力が上昇するにつれて、インバーター駆動回路９の温度も上昇する。このインバーター駆動回路９の消費電力と温度との相関グラフに基づいて、インバーター駆動回路９の消費電力に対して、常時、インバーター駆動回路９の許容温度以下に抑制できる程度の放熱性を有する放熱板１８のサイズを選定すればよい。
【００４７】
（実施の形態３の効果）
以上の構成のように、ファンモーター６は、本体１の外面に設置された制御箱１１ａ内部に設置されているので、シロッコファン３が設置された熱交換器２の二次側領域から遮断されているので、熱交換器２によって生成した暖気による影響を受けることがない。
【００４８】
また、ファンモーター６が当接して固定された制御箱１１ａの内壁面に対応する外壁面に放熱板１８が設置されているので、ファンモーター６で発生した熱は、制御箱１１ａの壁面を介して、放熱板１８から外部に放熱される。また、これによって、ファンモーター６から放熱させることができるので、ファンモーター６の温度上昇によるインバーター駆動回路９の基板の故障を抑制することができる。
【００４９】
さらに、インバーター駆動回路９が、制御箱１１ａの内壁面に当接されたファンモーター６の外郭部分に近い位置に内蔵されているので、ファンモーター６が発生する熱が、インバーター駆動回路９の周囲から効率よく、このファンモーター６の外郭部分及び制御箱１１ａの内壁面を介して放熱板１８から外部に放熱される。
【００５０】
実施の形態４．
次に、実施の形態１〜実施の形態３に係る室内ユニットを備えた空気調和装置について説明する。以下、その例として、実施の形態１に係る室内ユニットを備えた空気調和装置について説明する。
【００５１】
（空気調和装置の構成）
図６は、本発明の実施の形態４に係る空気調和装置の冷媒回路図の例である。
図６で示されるように、本実施の形態に係る空気調和装置は、室内ユニット１０１及び室外ユニット１０２によって構成されている。
【００５２】
室内ユニット１０１は、少なくとも、熱交換器２、シロッコファン３及びファンモーター６を備えている。
室外ユニット１０２は、少なくとも、圧縮機２１、膨張装置２２、室外ユニット熱交換器２３、室外ユニット用ファン２４及び室外ユニット用ファンモーター２５を備えている。このうち、圧縮機２１、熱交換器２、膨張装置２２、室外ユニット熱交換器２３、そして再び圧縮機２１の順に冷媒配管によって接続され、冷凍サイクルが構成されている。
【００５３】
圧縮機２１は、吸入したガス冷媒を圧縮して、高温高圧冷媒として吐出するものである。
膨張装置２２は、熱交換器２によって凝縮された液冷媒を膨張及び減圧し、気液二相冷媒とするものである。
室外ユニット熱交換器２３は、膨張装置２２によって膨張された気液二相冷媒と、外気等とを熱交換させ、ガス冷媒として蒸発させるものである。
【００５４】
室外ユニット用ファン２４は、その回転によって外気等を室外ユニット熱交換器２３に送り込み、室外ユニット熱交換器２３内を流れる冷媒と、その外気等との熱交換を促進するものである。
室外ユニット用ファンモーター２５は、その回転駆動によって、室外ユニット用ファン２４を回転させるものである。
【００５５】
なお、前述のように、室内ユニット１０１は、実施の形態１に係る室内ユニットであるものとして説明したが、これに限定されるものではなく、実施の形態２又は実施の形態３に係る室内ユニットであるものとしてもよい。
【００５６】
（実施の形態４の効果）
以上の構成によって、実施の形態１〜実施の形態３に係る室内ユニットが有する効果を有した空気調和装置を得ることができる。
【００５７】
なお、膨張装置２２は、室外ユニット１０２に備えられる構成としたが、これに限定されるものではなく、室内ユニット１０１が備える構成としてもよい。
【００５８】
また、室外ユニット１０２は、四方弁を備えるものとし、その流路を切り替えることによって、暖房運転又は冷房運転に切り替えられる構成としてもよい。
【００５９】
また、室外ユニット熱交換器２３は、本発明の「室外熱交換器」に相当する。
【符号の説明】
【００６０】
１  本体、２、２ａ  熱交換器、２ａａ  熱交換器曲げ部、３  シロッコファン、４  ファンケーシング、５  シャフト、６  ファンモーター、６ａ  モーター軸、７  継手、８  ベアリング、９  インバーター駆動回路、１０  仕切り板、１１、１１ａ  制御箱、１２  吸い込み口、１３、１３ａ  隙間、１４  放熱用ファン、１５  吸い込み風、１５ａ  隙間吹き出し風、１５ｂ  吸い込み風、１６  吹き出し風、１７  吹き出し口、１８  放熱板、２１  圧縮機、２２  膨張装置、２３  室外ユニット熱交換器、２４  室外ユニット用ファン、２５  室外ユニット用ファンモーター、１０１  室内ユニット、１０２  室外ユニット。
【図１】
2013011378.tif 000003
【図２】
2013011378.tif 000004
【図３】
2013011378.tif 000005
【図４】
2013011378.tif 000006
【図５】
2013011378.tif 000007
【図６】
2013011378.tif 000008